(57)【要約】【課題】使用形態に応じて電気錠の施解錠を制御できる電気錠制御装置を提供する。【解決手段】店舗の営業時間等に当たる解錠モードのときに、電気錠の解錠状態を錠状態検出部１２が検出し、検出結果を制御手段１６に入力すると、制御手段１６が計時部２２のタイマーを起動し、所定時間経過すると制御手段１６が施解錠制御部１８から電気錠４４に解錠信号を出力させる。また、店舗内にて作業中の場合は、モード設定器からのモード設定信号をＬＡＮインタフェース２６を介して制御手段１６が受け取り、作業モードを設定する。これにより、作業中は施解錠制御部１８から電気錠４４に解錠信号を出力させず、電気錠を施錠状態のまま保持することができる。【選択図】　　　　図１
2004084193.tif 000002
【特許請求の範囲】
【請求項１】
電気錠の施錠または解錠状態を検出する錠状態検出部と、
前記錠状態検出部により前記電気錠の施錠が検出された時点から所定時間を計時する計時部と、
前記計時部が所定時間の経過を検出したときに前記電気錠に解錠信号を送信するか否かを判断する判定部と、を備えることを特徴とする電気錠制御装置。
【請求項２】
請求項１記載の電気錠制御装置が、さらに、作業者による作業状態であるときに作業モードを設定するモード設定部を有し、
前記判定部は、前記作業モードが設定されているときには解錠信号を送信しない判断をすることを特徴とする電気錠制御装置。
【請求項３】
請求項２記載の電気錠制御装置において、前記判定部は、前記作業モードが設定されているときに前記計時部の計時をリスタートすることを特徴とする電気錠制御装置。
【請求項４】
ＣＤ／ＡＴＭコーナーの出入口扉に設置される電気錠を制御する電気錠制御装置であって、
ＣＤ／ＡＴＭへの現金補填等の作業中であるときに作業モードを設定するモード設定部と、
電気錠の施錠または解錠状態を検出する錠状態検出部と、
前記錠状態検出部により前記電気錠の施錠が検出された時点から所定時間を計時する計時部と、
前記ＣＤ／ＡＴＭコーナーが営業中に前記計時部が所定時間の経過を検出したときに、前記作業モードが設定されていれば前記計時部をリスタートし、前記作業モードが設定されていなければ解錠信号を送信する判断を行う判定部と、を備えることを特徴とする電気錠制御装置。
【発明の詳細な説明】
【０００１】
【発明の属する技術分野】
本発明は、電気錠を制御する電気錠制御装置の改良に関する。
【０００２】
【従来の技術】
従来より、扉に電気錠を設置し、この電気錠をコントローラの制御により施解錠するシステムが使用されている。かかるシステムの中には、予め設定されたスケジュールに応じて、電気錠を施錠または解錠する構成のものがある。
【０００３】
例えば、銀行の無人店舗等におけるＣＤ／ＡＴＭコーナーでは、ＣＤ／ＡＴＭが設置された部屋の扉に、上記システムにより営業時間帯のみ解錠される電気錠が設置されている場合がある。この電気錠には、部屋の内側から手動にて施解錠するための操作つまみ（サムターン）が設けられている。このような電気錠が設置された部屋の扉は、サムターンにより内側から施錠できるので、ＣＤ／ＡＴＭコーナーの営業中、室内に浮浪者等の第三者が入り込み、内側から施錠して居座るという問題があった。
【０００４】
かかる問題に対応するため、例えば、特許第３１８６９３５号には、電気錠制御装置により電気錠の状態を常時監視し、営業時間帯に電気錠が施錠された場合には、強制的に電気錠を即座に解錠させる技術が開示されている。
【０００５】
【発明が解決しようとする課題】
しかし、上記従来例においては、一般利用客がＣＤ／ＡＴＭを利用する場合にサムターンにて施錠しても、即座に解錠され、一般利用客の安全が確保できないという問題があった。
【０００６】
また、作業員によるＣＤ／ＡＴＭへの現金の補填や機器のメンテナンスの際にも、当該作業を行う部屋を施錠しないと作業中に賊におそわれる等の危険があり、特にＣＤ／ＡＴＭの営業時間中に上記作業を行う場合に、扉の施錠ができないために作業員の安全が確保できないという問題もあった。
【０００７】
本発明は、上記従来の課題に鑑みなされたものであり、その目的は、使用形態に応じて電気錠の施解錠を制御できる電気錠制御装置を提供することにある。
【０００８】
【課題を解決するための手段】
上記目的を達成するために、本発明は、電気錠の施錠または解錠状態を検出する錠状態検出部と、錠状態検出部により電気錠の施錠が検出された時点から所定時間を計時する計時部と、計時部が所定時間の経過を検出したときに電気錠に解錠信号を送信するか否かを判断する判定部と、を備えることを特徴とする。
【０００９】
上記構成によれば、サムターンにより施錠されてから所定時間経過後に電気錠が解錠されるので、一般利用客がＣＤ／ＡＴＭ等を利用するのに十分な時間を確保してその安全を図ることができるとともに、浮浪者等の室内への居座りを防止できる。
【００１０】
また、上記電気錠制御装置が、さらに、作業者による作業状態であるときに作業モードを設定するモード設定部を有し、上記判定部は、作業モードが設定されているときには解錠信号を送信しない判断をすることを特徴とする。
【００１１】
また、上記電気錠制御装置において、判定部は、作業モードが設定されているときに計時部の計時をリスタートすることを特徴とする。
【００１２】
上記各構成によれば、作業モードを設定することにより、所定時間経過しても電気錠を解錠しないので、十分な作業時間を確保でき、作業員の安全を図ることができる。
【００１３】
また、ＣＤ／ＡＴＭコーナーの出入口扉に設置される電気錠を制御する電気錠制御装置であって、ＣＤ／ＡＴＭへの現金補填等の作業中であるときに作業モードを設定するモード設定部と、電気錠の施錠または解錠状態を検出する錠状態検出部と、錠状態検出部により電気錠の施錠が検出された時点から所定時間を計時する計時部と、ＣＤ／ＡＴＭコーナーが営業中に計時部が所定時間の経過を検出したときに、作業モードが設定されていれば計時部をリスタートし、作業モードが設定されていなければ解錠信号を送信する判断を行う判定部と、を備えることを特徴とする。
【００１４】
上記構成によれば、一般利用客および作業員の安全を十分確保できるとともに浮浪者等の室内への居座りを防止できるＣＤ／ＡＴＭコーナーを実現できる。
【００１５】
【発明の実施の形態】
以下、本発明の実施の形態（以下実施形態という）を、図面に従って説明する。
【００１６】
図１には、本発明にかかる電気錠制御装置の構成のブロック図が示される。図１において、電気錠制御装置１０は錠状態検出部１２を有しており、ここに制御対象である電気錠から当該電気錠が施錠状態であるか解錠状態であるかの錠状態を示す信号が入力され、錠状態検出部１２が電気錠の施解錠状態を検出する。また、電気錠からは、当該電気錠が設置された扉が開であるか閉であるかの扉の開閉状態を示す信号も扉開閉状態監視部１４に入力される。
【００１７】
また、電気錠制御装置１０には、全体の動作を制御する制御手段１６が設けられている。制御手段１６は、予め設定されたスケジュールまたは電気錠の使用形態に基づき予め定められたプログラムに応じて電気錠を施錠または解錠するように施解錠制御部１８を制御し、電気錠に対して施錠信号または解錠信号を出力させる。上記スケジュールあるいはプログラムは、記憶部２０に格納されている。これにより、例えばＣＤ／ＡＴＭコーナーの営業中にサムターンにより扉に設置された電気錠が施錠されても、該電気錠に解錠信号を自動的に送信し、電気錠を解錠する制御が可能となる。
【００１８】
本実施形態においては、上記制御手段１６に、錠状態検出部１２から電気錠の施錠、解錠の検出結果が、また扉開閉状態監視部１４から扉の開閉状態の監視結果がそれぞれ入力される。制御手段１６は、錠状態検出部１２により電気錠の施錠が検出された時点で計時部２２を起動し、電気錠の施錠が検出された時点から所定時間を計時させる。計時部２２が所定時間の経過を検出したときには、制御手段１６が施解錠制御部１８から電気錠に解錠信号を送信するか否かを判断する。この判断は、電気錠の動作モードに基づいて実行される。電気錠の動作モードとしては、店舗の営業が終了したとき等の自動施錠モード、店舗が営業中等で原則として電気錠が解錠されている解錠モード、電気錠が設置された部屋の中で作業する必要がある場合、例えばＣＤ／ＡＴＭに現金の補填やメンテナンスを行う場合の作業モード等がある。これらの動作モードは、モード記憶部２４に格納されいる。
【００１９】
例えば、自動施錠モードでは、上記所定時間が経過したときでも、電気錠に解錠信号は送信されない。あるいは、電気錠が施錠されても制御手段１６が計時部２２を起動しない構成とすることもできる。
【００２０】
また、解錠モードの場合は、前述したプログラムに沿って、制御手段１６が施解錠制御部１８から電気錠に解錠信号を送信させ、電気錠を解錠状態に保持する。この状態で電気錠が施錠された場合には上述したように所定時間が計時されるが、この所定時間は、電気錠の使用形態に応じて適宜決定することができる。例えば、ＣＤ／ＡＴＭコーナーの扉に設置された電気錠の場合、一般利用客がＣＤ／ＡＴＭを利用するのに十分な時間で、かつ室内に浮浪者等が不法に居座ることを防止するために、３分程度の時間に設定するのが好適である。この所定時間が経過したことを計時部２２が検出すると、制御手段１６が施解錠制御部１８から電気錠に解錠信号を送信させ、電気錠を解錠する。
【００２１】
さらに、モード設定器からの作業モード信号をＬＡＮインタフェース２６を介して制御手段１６が取り込むと、制御手段１６は作業モードを設定し、モード設定器から解除信号が入力されるまで作業モードを維持する。この作業モードの場合には、電気錠が施錠されていても、制御手段１６は施解錠制御部１８から解錠信号を出力させない判断をする。また、モード設定器からの入力により、制御手段１６が施解錠制御部１８から施錠信号を出力させ、電気錠を施錠状態とする構成とすることも好適である。なお、この場合には、扉開閉状態監視部１４からの監視結果が、閉となっていることを制御手段１６が確認してから施錠信号を出力させる。扉が開の状態で施錠信号を出力させると、電気錠のデッドボルトが突出した状態となり、扉を閉めることができなくなるからである。
【００２２】
上記モード設定器は、例えばカードリーダ等により構成される。この場合、電気錠が設置された部屋にカードリーダも設置しておき、作業を行う際に作業員が所定のカードを読ませることにより電気錠制御装置１０を作業モードとすることができる。また、作業終了時に再度所定のカードを読ませることにより、作業モードを解除することができる。なお、作業モードを解除する際、予め設定されたスケジュールに応じて、自動施錠モードや解錠モード等の電気錠の動作モードに移行させる。
【００２３】
以上の動作をする制御手段１６は、本発明にかかる判定部およびモード設定部として機能する。なお、電気錠に解錠信号を出力しても錠状態検出部１２が解錠状態を検出できない場合、または電気錠に施錠信号を出力しても錠状態検出部１２が施錠状態を検出できない場合には、制御手段１６が通信手段２８を介して外部の監視センターに異常を通報する。
【００２４】
図２には、図１に示された本実施形態にかかる電気錠制御装置１０の解錠モードおよび作業モードにおける動作のフローが示される。図２において、錠状態検出部１２が電気錠の施錠状態を検出すると（Ｓ１）、制御手段１６が計時部２２のタイマーを起動する（Ｓ２）。
【００２５】
計時部２２が所定時間の経過を検出するまでは（Ｓ３）、錠状態検出部１２が電気錠の解錠を検出したかが監視され（Ｓ４）、電気錠が解錠されるとタイマーが解除（停止）され（Ｓ５）、Ｓ１に戻る。
【００２６】
また、計時部２２が所定時間の経過を検出すると（Ｓ３）、制御手段１６が、作業モードの設定の有無を確認し（Ｓ６）、作業モードでない場合には、施解錠制御部１８に解錠信号を出力させ、電気錠を解錠させる（Ｓ７）。この場合、制御手段１６は、錠状態検出部１２からの解錠状態検出信号を監視し（Ｓ８）、この信号を一定時間以内に受け取れないときには、通報手段２８を介して異常通報を外部の監視センターに行う（Ｓ９）。
【００２７】
また、Ｓ６において、作業モードに設定されている場合には、タイマーを解除する（Ｓ１０）。解除されたタイマーはＳ２においてリスタートされる。これにより、作業モード中は電気錠に解錠信号が出力されず、電気錠は施錠状態が保持される。
【００２８】
図３には、本実施形態にかかる電気錠制御装置およびこれにより制御される電気錠が設置されたＣＤ／ＡＴＭコーナーの例が示される。図３において、ＣＤ／ＡＴＭコーナー３０には、ＣＤ／ＡＴＭ３２が設置されており、壁３８によって、一般利用客が利用する客室３４と空調、証明及びシャッター等の設備制御機器が設置されている機械室３６とに仕切られている。前述のＣＤ／ＡＴＭ３２は、客室３４側から現金の補填を行うようになっている。壁３８には作業員が出入りするための扉４０が設けられ、ＣＤ／ＡＴＭコーナー３０の客室３４にも、一般利用客と作業員が出入りするための出入口扉４２が設けられている。この出入口扉４２には、電気錠４４が設置されている。また、機械室３６の内壁には本発明にかかる電気錠制御装置１０が設置され、モード設定器を構成するカードリーダ４６は出入口扉４２の付近に設置されている。なお、このカードリーダ４６を、機械室３６の扉４０付近に設置すること、または、電気錠制御装置１０と一体化することも好適である。なお、上記電気錠制御装置１０は、図１に示された構成と同様の構成となっている。
【００２９】
図１および図３に示された構成において、電気錠制御装置１０の制御手段１６は、作業員がカードリーダ４６に所定のカードを読み込ませたときに作業モードを設定するモード設定部として機能する。これにより、作業員が出入口扉４２の電気錠４４をサムターンにより施錠した場合、再びカードリーダ４６にカードを読み込ませて作業モードを解除するまで電気錠制御装置１０は電気錠４４に解錠信号を送らない。これは、前述したように、電気錠４４が施錠されたことを錠状態検出部１２が検出し、制御手段１６が計時部２２のタイマーを起動しても、このタイマーの解除、リスタートを繰り返すことにより実現できる。以上により、ＣＤ／ＡＴＭへの現金補填等の作業を行う作業員の安全を確保することができる。
【００３０】
また、制御手段１６が解錠モードを設定している場合には、電気錠４４が施錠されたことを錠状態検出部１２が検出すると、判定部として機能する制御手段１６が計時部２２のタイマーを起動し、所定時間経過後に施解錠制御部１８から電気錠４４に解錠信号を送るよう制御する。この所定時間としては、前述したように、一般利用客がＣＤ／ＡＴＭコーナー３０を利用するのに十分であり、かつ浮浪者等の居座りを防止することを考慮して３分程度が好適である。これにより、一般利用客がサムターンにより出入口扉４２の電気錠４４を施錠してＣＤ／ＡＴＭコーナー３０を利用することができ、利用客の安全を確保することができる。また、一旦電気錠４４が施錠されても３分後には解錠されるので、浮浪者等の居座りを防止できる。
【００３１】
以上に述べたＣＤ／ＡＴＭコーナー３０は、２４時間稼働すなわち自動施錠モードがない場合も多く、この場合には深夜にも一般利用客の利用がある。また、機械室３６がなく、図３と同様に客室３４側から現金の補填等を行う必要があるものもある。このため、出入口扉４２に設置された電気錠４４の制御は、一般利用客および作業員の安全にとって重要である。本発明にかかる電気錠制御装置１０は、ＣＤ／ＡＴＭコーナー３０その他の個室内を外部と遮断するための電気錠４４の施解錠を、ＣＤ／ＡＴＭコーナー３０等の使用形態に応じて制御することができる。これにより、高い安全性を確保することができる。
【００３２】
また、本実施形態では、電気錠の動作モードに作業モードを設けて説明したが、電気錠の動作モードとは別にＣＤ／ＡＴＭコーナー３０の状態を示す状態モードを設け、この状態モードにおいて作業モードを設けてもよい。
【００３３】
【発明の効果】
以上説明したように、本発明によれば、ＣＤ／ＡＴＭコーナー等の営業時間帯において、電気錠が施錠された場合に、所定時間の経過後に電気錠が解錠制御される。これにより、浮浪者等の居座りを防止できるとともに、ＣＤ／ＡＴＭコーナー等を利用する一般利用客の安全を確保できる。
【００３４】
また、ＣＤ／ＡＴＭコーナー等における作業員の作業中に作業モードを設定することにより、作業終了まで電気錠を施錠したままとすることができ、作業員の安全も確保できる。
【００３５】
また、以上のような機能を有する電気錠制御装置を設置することにより、安全性の高いＣＤ／ＡＴＭコーナーを実現できる。
【図面の簡単な説明】
【図１】本発明にかかる電気錠制御装置の一実施形態の構成のブロック図である。
【図２】図１に示された実施形態の動作のフロー図である。
【図３】本発明にかかる電気錠制御装置が設置されたＣＤ／ＡＴＭコーナーの例を示す図である。
【符号の説明】
１０　電気錠制御装置、１２　錠状態検出部、１４　扉開閉状態監視部、
１６　制御手段、１８　施解錠制御部、２０　記憶部、２２　計時部、
２４　モード記憶部、２６　ＬＡＮインタフェース、２８　通報手段、
３０　ＣＤ／ＡＴＭコーナー、３２　ＣＤ／ＡＴＭ、３４　客室、３６　機械室、
３８　壁、４０　扉、４２　出入口扉、４４　電気錠、４６　カードリーダ。
【図１】
2004084193.tif 000003
【図２】
2004084193.tif 000004
【図３】
2004084193.tif 000005